(57)【特許請求の範囲】
【請求項１】
座の後方において立上がる背フレームに、この背フレームにおける縦杆部の前方に配置し、背シェルの上下方向の中間部に、背シェルを前後方向に弾性屈曲可能とするための正面視Ｕ字形のスリットを設け、かつ背シェルにおける正面視Ｕ字形のスリットの内方部分が、その外方部分に対して、過度に前向きに突出するのを防止するための拘束手段として、スリットの内方部分と外方部分とを連結する前方を向く縦方向のＵ字形の接続片を設けた背シェルと、この背シェルと離間し、前記背フレームの後面側を覆う背フレームカバーとを、それぞれ取付け、かつ前記背フレームの左右外側に沿って、側部覆い片を、前記背シェルの背面から後方に向け、前記背フレームカバーの前面から、前方に向けて、それぞれの側部覆い片が、他方の側部覆い片に対して相対的に前後方向に移動可能かつ相互に一部重合するように突出させて設けることにより、背シェルが弾性屈曲して後傾し、背シェルの背面と背フレームの前面間に広い間隙が生じた場合にも、この間隙に手指などを差し込むおそれがないようにしたことを特徴とする椅子の背凭れ装置。
【請求項２】
背シェルの背面と、背フレームカバーの前面に、それぞれ設ける側部覆い片を、板リブ形状のものとしたことを特徴とする請求項１記載の椅子の背凭れ装置。
【請求項３】
背フレームカバーの側部覆い片を、背シェルの側部覆い片よりも左右外側に設けたことを特徴とする請求項１または２に記載の椅子の背凭れ装置。
【請求項４】
背シェルの側部覆い片を、その屈曲可能部の上方と下方において、それぞれ独立に設けたことを特徴とする請求項１〜３のいずれかに記載の椅子の背凭れ装置。
【請求項５】
背フレームカバーの左右端部を、その前面に設けた側部覆い片よりも左右外側に延出させたことを特徴とする請求項１〜４のいずれかに記載の椅子の背凭れ装置。
【請求項６】
背フレームカバーの前記延出させた左右端部を、背シェルの背面に向けて、前方に湾曲させたことを特徴とする請求項５記載の椅子の背凭れ装置。
【請求項７】
背フレームカバーの上端部を前方に湾曲させて、背フレームを上方からも覆うようにしたことを特徴とする請求項１〜６のいずれかに記載の椅子の背凭れ装置。
【請求項８】
背シェルを、その屈曲可能部よりも上方において、背フレームの上部に、左右軸まわりに回動可能に取付け、かつ背シェルの下部を、背フレームの下部に、上下摺動可能に係止したことを特徴とする請求項１〜７のいずれかに記載の椅子の背凭れ装置。
【請求項９】
背フレームカバーの上部を、背フレームの上部に、左右軸まわりに回動可能に取付けたことを特徴とする請求項１〜８のいずれかに記載の椅子の背凭れ装置。
【請求項１０】
背フレームカバーの上端を前方に湾曲させ、その湾曲部下面に係合爪を設け、この係合爪の下方の、背フレームカバーの前面に係止片を設け、背フレームの上部横杆の上面の係合孔に、前記係合爪を係合させるとともに、前記上部横杆の下面に、前記係止片の上端縁を当接させることを特徴とする請求項９に記載の椅子の背凭れ装置。
【発明の詳細な説明】
【０００１】
【発明の属する技術分野】
本発明は、後傾に伴ってランバーサポート機能を発揮しうるとともに、安全性を向上させた椅子の背凭れ装置に関する。
【０００２】
【従来の技術】
背凭れを後傾させるのに伴って、そのランバーサポート部分を相対的に前向突出させることにより、ランバーサポート機能を発揮させるようにした背凭れ装置は公知である。
【０００３】
【発明が解決しようとする課題】
しかし、従来のランバーサポート機能を有する背凭れ装置は、いずれも構造が複雑であるとともに、背シェルのランバーサポート部分を相対的に前向突出させた状態において、誤って、たとえば手指などを背シェルと背フレーム間に差し込み、そのまま背凭れを後傾位置から正常位置に復帰させると、場合によっては、負傷するおそれがあった。
本発明は、かかる現状に鑑みて、簡単な構造で、安全性を向上させるとともに、外観上も良好な、ランバーサポート機能を有する椅子の背凭れ装置を提供することを目的とする。
【０００４】
【課題を解決するための手段】
本発明によると、上記課題は、次のようにして解決される。
(１)座の後方において立上がる背フレームに、この背フレームにおける縦杆部の前方に配置し、背シェルの上下方向の中間部に、背シェルを前後方向に弾性屈曲可能とするための正面視Ｕ字形のスリットを設け、かつ背シェルにおける正面視Ｕ字形のスリットの内方部分が、その外方部分に対して、過度に前向きに突出するのを防止するための拘束手段として、スリットの内方部分と外方部分とを連結する前方を向く縦方向のＵ字形の接続片を設けた背シェルと、この背シェルと離間し、前記背フレームの後面側を覆う背フレームカバーとを、それぞれ取付け、かつ前記背フレームの左右外側に沿って、側部覆い片を、前記背シェルの背面から後方に向け、前記背フレームカバーの前面から、前方に向けて、それぞれの側部覆い片が、他方の側部覆い片に対して相対的に前後方向に移動可能かつ相互に一部重合するように突出させて設けることにより、背シェルが弾性屈曲して後傾し、背シェルの背面と背フレームの前面間に広い間隙が生じた場合にも、この間隙に手指などを差し込むおそれがないようにする。
【０００５】
(２)  上記(１)項において、背シェルの背面と、背フレームカバーの前面に、それぞれ設ける側部覆い片を、板リブ形状のものとする。
【０００６】
(３)  上記(１)項または(２)項において、背フレームカバーの側部覆い片を、背シェルの側部覆い片よりも左右外側に設ける。
【０００７】
(４)  上記(１)項〜(３)項のいずれかにおいて、背シェルの側部覆い片を、その屈曲可能部の上方と下方において、それぞれ独立に設ける。
【０００８】
(５)  上記(１)項〜(４)項のいずれかにおいて、背フレームカバーの左右端部を、その前面に設けた側部覆い片よりも左右外側に延出させる。
【０００９】
(６)  上記(５)項において、背フレームカバーの前記延出させた左右端部を、背シェルの背面に向けて、前方に湾曲させる。
【００１０】
(７)  上記(１)項〜(６)項のいずれかにおいて、背フレームカバーの上端部を前方に湾曲させて、背フレームを上方からも覆うようにする。
【００１１】
(８)  上記(１)項〜(７)項のいずれかにおいて、背シェルを、その屈曲可能部よりも上方において、背フレームの上部に、左右軸まわりに回動可能に取付け、かつ背シェルの下部を、背フレームの下部に、上下摺動可能に係止する。
【００１２】
(９)  上記(１)項〜(８)項のいずれかにおいて、背フレームカバーの上部を、背フレームの上部に、左右軸まわりに回動可能に取付ける。
【００１３】
(10)  上記(９)項において、背フレームカバーの上端を前方に湾曲させ、その湾曲部下面に係合爪を設け、この係合爪の下方の、背フレームカバーの前面に係止片を設け、背フレームの上部横杆の上面の係合孔に、前記係合爪を係合させるとともに、前記上部横杆の下面に、前記係止片の上端縁を当接させる。
【００１４】
【発明の実施の形態】
図１は、本発明の背凭れ装置の一部破断した側面図、図２は、図１に示す背凭れ装置を一部破断して示した後方斜視図、図３は、図１におけるIII−III線横断面図、図４は、図１に示す背凭れ装置の分解斜視図（但し、背シェルは省略）、図５は、図１における破線円内の部分拡大図である。
【００１５】
本発明の椅子の背凭れ装置は、背フレーム(１)と、その前側、後側にそれぞれ取付けられている背シェル(２)、背フレームカバー(３)とよりなる。
背フレーム(１)は、側面視Ｌ字状をなし、後上方に延出する左右１対の背杆(４)(４)と、これらの背杆(４)(４)を連結する横杆(５)とよりなる。
【００１６】
背杆(４)は、後上方に延出する縦杆部(６)と、前方を向く下部の前杆部(７)とよりなり、縦杆部(６)は、上下方向の中間部(6a)において、前向く字形に僅かに屈曲している。
【００１７】
横杆(５)には、背杆(４)における縦杆部(６)の上端部(6b)同士を連結する上部横杆(８)、背杆(４)における前杆部(７)の前端部(7a)同士を連結する下部横杆(９)、縦杆部(６)と前杆部(７)の接合近傍同士を連結する中間横杆(10)の３種がある。
【００１８】
背フレーム(１)は、背杆(４)における前杆部(７)の前端部(7a)が、図示を省略した脚支柱の上端に固定された支基に支持されている。
【００１９】
背フレーム(１)における縦杆部(６)の前方には、側断面形が前向く字形をなす、合成樹脂製の背シェル(２)が取付けられ、その背シェル(２)は、上下方向の中間部(2a)において、図２に示すように、正面視Ｕ字形のスリット(11)を切ってあり、前後方向に弾性屈曲可能となっている。
【００２０】
また、背シェル(２)が前記上部横杆(８)のまわりに回動して後傾した場合に、前記正面視Ｕ字形のスリット(11)の内方部分(12)が、その外方部分(13)に対して、過度に前向きに突出するのを防止するための拘束手段として、スリット(11)の内方部分(12)の中央部下縁と、その下方の外方部分(13)の中央部上縁とを、前方を向く縦方向のＵ字形の可撓性接続片(14)で接続してある。
【００２１】
背シェル(２)の下部両側、すなわちスリット(11)の外方部分(13)の下部に、左右の背杆(４)(４)の間隔とほぼ同間隔をもって、端部が前方を向くように湾曲する横向係合片(15)(15)を形成し、各係合片(15)を、前記背杆(４)の縦杆部(６)に、後方から上下摺動可能に係合してある。
【００２２】
背シェル(２)の上部背面は、背フレーム(１)の前記上部横杆(８)に、左右軸まわりに回動可能に支持されている。
すなわち、図１、図５に示すように、背シェル(２)の背面における上部横杆(８)と対応する箇所に、後方を向く中空突起(16)を設け、上部横杆(８)と中空突起(16)へ締付ねじ(17a)を、若干の遊びをもって嵌挿し、ナット(17b)締めすることにより支持してある。
したがって、背シェル(２)は、締付ねじ(17a)の遊びの範囲において、締付ねじ(17a)の部分を中心として、前後に傾動することができる。
【００２３】
背シェル(２)の背面には、背フレーム(１)の左右外側に沿って、板リブ形状の側部覆い片(18)(18)を後方に突出させて設けてある。
この側部覆い片(18)は、背シェル(２)の中間部(2a)における前後方向の屈曲を阻害しないように、前記正面視Ｕ字形のスリット(11)の内方部分(12)と、外方部分(13)において、それぞれ独立の側部覆い片(18a)(18b)として形成されている。
なお、背シェル(２)の前面には、適宜のクッション体や外皮が張設されるが、図においては、これらを省略してある。
背フレーム(１)の後方には、背フレームカバー(３)が取付けられている。
【００２４】
背フレームカバー(３)は、図４に示すように、側面視Ｌ字状をなし、後上方に延出する背板部(19)と、前方を向く下部の底板部(20)とよりなり、左右両端縁は、前方ないし上方に湾曲され、その湾曲部の幅は、背板部(19)の上端から底板部(20)の前端に向けて次第に大きくなっている。
【００２５】
背板部(19)は、平面視において、後方に突出する緩やかな弧状をなし、上下方向の中間部(19a)において、前向く字形に僅かに屈曲するとともに、上端部を前方上向きに湾曲させてある。
この湾曲部(21)の下面の左右に、前方下向きに傾斜する係合爪(22)(22)が設けられている。
【００２６】
背板部(19)の前面には、前記係合爪(22)の下方に、前方に突出する係止片(23)(23)が設けられている。
前記係合爪(22)と係止片(23)によって、背フレームカバー(３)の上端部が、背フレーム(１)の上部横杆(８)に取付られている。
すなわち、図２に示すように、上部横杆(８)は、側面視が後向コ字形を有し、左右両端部が、左右の背杆(４)(４)の外側に位置している。
【００２７】
この外側に位置している左右両端部における後向コ字形の上片(8a)に上下方向の係合孔(8b)が穿設されており、この係合孔(8b)に、図５に示すように、背フレームカバー(３)の前記湾曲部(21)下面に設けられた前記係合爪(22)が、挿入されて係合されるとともに、背フレームカバー(３)の前面に設けられた前記係止片(23)の上端縁が、前記上部横杆(８)の後向コ字形の下片(8c)の下面に当接されている。
このようにして、背フレームカバー(３)の係合爪(22)と係止片(23)とで、背フレーム(１)の上部横杆(８)を上下方向から挟持するようにして、背フレームカバー(３)の上端部が、背フレーム(１)に、左右方向の軸まわりに回動可能に取付けられている。
【００２８】
背フレームカバー(３)の底板部(20)は、図４に示すように、図示を省略した支基を取付けるために、前端中央部から前向Ｕ字形に切欠かれ、その切欠部(24)の左右の前端に、前端ねじ孔(25)(25)、その後方に中間ねじ孔(26)(26)が、それぞれ前方上向きに傾斜して螺設されている。
【００２９】
背フレームカバー(３)の下部は、取付カバー(27)を用いて、取付ねじ(28)を前記前端ねじ孔(25)、中間ねじ孔(26)に螺合することによって、背フレーム(１)に固定されている。
【００３０】
取付カバー(27)は、背フレームカバー(３)で下方から覆われた、背フレーム(１)における前杆部(７)を、上方から覆う機能を併せ有し、背フレームカバー(３)の底板部(20)と同様に、前端中央部から前向Ｕ字形に切欠かれ、この切欠部(27a)の左右前端部は、端部が後方を向くように下方縦向きに湾曲されている。その左右の湾曲部(27b)の上片、およびその後方にそれぞれ通孔(27c)(27d)が穿設されている。
【００３１】
取付カバー(27)は、前記湾曲部(27b)により、背フレーム(１)の下部横杆(９)を前方から抱込むようにして、背フレームカバー(３)の底板部(20)の上方に、被覆させてある。
【００３２】
背フレーム(１)における左右の前杆部(７)(７)の後部には、外側に突出させた取付小片(7b)が付設され、この取付小片(7b)に前方上向き方向の通孔(7c)(7c)が穿設されている。
【００３３】
背フレームカバー(３)の下部部分の、背フレーム(１)への固定は、取付カバー(27)の前端の通孔(27c)と背フレームカバー(３)の前端ねじ孔(25)、取付カバー(27)の後端の通孔(27d)と背フレーム(１)の通孔(7c)と背フレームカバー(３)の中間ねじ孔(26)とを、それぞれ重合させて、取付カバー(27)の上方から、取付ねじ(28)によって締付けることにより固定されている。
【００３４】
背フレームカバー(３)における背板部(19)の前面には、背シェル(２)の背面に設けられた前記左右の側部覆い片(18)(18)よりも、左右外側の位置に、板リブ形状の側部覆い片(29)(29)が、前方に向けて、突出して設けられている。
背フレームカバー(３)の左右端部は、前記側部覆い片(29)(29)よりも左右外側に延出され、その左右端部は、背シェルの背面に向けて、前方に湾曲されている。
【００３５】
図６は、図３におけるVI−VI線縦断面図であり、(ａ)図は、背シェル(２)が後傾せず正常位置にある状態、(ｂ)図は、背シェル(２)が上部横杆(８)のまわりに回動して後傾した状態を、それぞれ示す。
(ａ)図と(ｂ)図とを比較すると、各側部覆い片(18)(29)が、他方の側部覆い片に対して少なくとも一部が相対的に前後方向に移動しており、かつ(ａ)図と(ｂ)図に示すいずれの場合も、背シェル(２)と背フレームカバー(３)の側部覆い片(18)(29)は、前後方向に相互に一部重合しており、背フレーム(１)が設けられている前記側部覆い片(18)(29)の内側に、誤って手指などを差し込むおそれがないようにしてある。
【００３６】
そのため、背シェル(２)が後傾して、背シェル(２)の背面と背フレーム(１)の前面間に生じたやや広い間隙に、誤って手指などを差し込み、そのまま正常位置に復帰したときに、挟まれて負傷するといったことを未然に防止することができる。
【００３７】
特に、背フレームカバー(３)の左右端部を、その前面に設けた側部覆い片(29)よりも左右外側に延出させ、背シェル(２)の背面に向けて前方に湾曲させた形態は、前記誤って手指などを差し込むことを、一層有効に防止することができる。
【００３８】
【発明の効果】
本発明によると、次のような効果を奏することができる。
(１)  請求項１記載の発明によれば、背シェルと背フレームカバーに、背フレームの左右外側に沿って設けられた側部覆い片が、前後方向に一部重合しているため、誤って内部に手指などを差し込む虞れがなく、安全性が向上するとともに、背フレームが背フレームカバーで覆われているため、外観上も良好である。
さらに、背シェル自体が上下方向の中間部において、前後方向に弾性屈曲可能であり、かつ着座者の腰部を過度に押圧することなく、良好なランバーサポート機能が発揮される。
【００３９】
(２)  請求項２記載の発明によれば、背フレームの側部を覆う機能を、効率的に発揮できるとともに、外観上も良好である。
【００４０】
(３)  請求項３記載の発明によれば、背シェルの後傾と、その復帰のたびに、前後方向に移動する背シェルの側部覆い片を、外側から背フレームカバーの側部覆い片で覆うことにより、一層安全性を向上させることができる。
【００４１】
(４)  請求項４記載の発明によれば、背シェルの上下方向の中間部における前後方向の屈曲を、側部覆い片によって妨げられることなく、良好に発揮させることができる。
【００４２】
(５)  請求項５記載の発明によれば、側部覆い片の外側に延出させた左右端部が、誤って内部に手指などを差し込むことを防ぎ、一層良好に安全性を向上させることができる。
【００４３】
(６)  請求項６記載の発明によれば、一段と良好な安全性が確保される。
【００４４】
(７)  請求項７記載の発明によれば、背フレームが側方とともに、上方からも覆われるため、外観が一層良好である。
【００４５】
(８)  請求項８記載の発明によれば、背シェルを後傾させたとき、背シェルの上下方向の中間部が前方へ大きく突出して、顕著なランバーサポート機能が得られる。
【００４６】
(９)  請求項９記載の発明によれば、背凭れが後傾したときに、背フレームカバーの背フレームへの取付け箇所に、無理な力が作用せず、背フレームの耐久性が向上する。
【００４７】
(10)  請求項１０記載の発明によれば、前記(９)項の効果を良好に得ることができる。
【図面の簡単な説明】
【図１】  本発明の背凭れ装置の一部破断した側面図である。
【図２】  図１に示す背凭れ装置を一部破断して示した後方斜視図である。
【図３】  図１におけるIII−III線横断面図である。
【図４】  図１に示す背凭れ装置の分解斜視図である。但し、背シェルは省略した。
【図５】  図１における破線円内の部分拡大図である。
【図６】  図３におけるVI−VI線縦断面図であり、(ａ)図は、背シェルが後傾せず正常位置にある状態、(ｂ)図は、背シェルが後傾した状態を示す。
【符号の説明】
(１)背フレーム
(２)背シェル
(2a)中間部
(３)背フレームカバー
(４)背杆
(５)横杆
(６)縦杆部
(6a)中間部
(6b)上端部
(７)前杆部
(7a)前端部
(7b)取付小片
(7c)通孔
(８)上部横杆
(8a)上片
(8b)係合孔
(8c)下片
(９)下部横杆
(10)中間横杆
(11)スリット
(12)内方部分
(13)外方部分
(14)接続片
(15)係合片
(16)中空突起
(17a)締付ねじ
(17b)ナット
(18)側部覆い片
(18a)内方部分の側部覆い片
(18b)外方部分の側部覆い片
(19)背板部
(19a)中間部
(20)底板部
(21)湾曲部
(22)係合爪
(23)係止片
(24)切欠部
(25)前端ねじ孔
(26)中間ねじ孔
(27)取付カバー
(27a)切欠部
(27b)湾曲部
(27c)(27d)通孔
(28)取付ねじ
(29)側部覆い片
【図１】
0003842619.tif 000002
【図２】
0003842619.tif 000003
【図３】
0003842619.tif 000004
【図４】
0003842619.tif 000005
【図５】
0003842619.tif 000006
【図６】
0003842619.tif 000007